(57)【要約】【課題】複写による偽造を判別可能な粘着ラベルセットを安価に提供する。【解決手段】本発明の一の実施の形態に係る粘着ラベルセットは、被貼付面から視認可能な第１の表示が付された台紙と、貼付面から台紙の被貼付面に剥離可能に貼り付けられ、貼付面とは反対側の表面から視認可能な第２の表示が付された粘着ラベルとを備える。また、第１の表示の少なくとも一部は、粘着ラベルの表面から視認可能である。また、粘着ラベルは透明又は半透明にしても良い。【選択図】図２
2015132716.tif 000002
【特許請求の範囲】
【請求項１】
被貼付面から視認可能な第１の表示が付された台紙と、
貼付面が前記台紙の前記被貼付面に剥離可能に貼り付けられ、前記貼付面とは反対側の表面から視認可能な第２の表示が付された粘着ラベルと
を備え、
前記第１の表示の少なくとも一部は、前記粘着ラベルの前記表面側から視認可能である
ことを特徴とする粘着ラベルセット。
【請求項２】
被貼付面から視認可能な第１の表示が付された台紙と、
貼付面が前記台紙の被貼付面に剥離可能に貼り付けられ、前記貼付面とは反対側の表面から視認可能な第２の表示が付された粘着ラベルと
を備えた粘着ラベルセットであって、
前記粘着ラベルセットを前記粘着ラベルの前記表面から複写した場合、前記第１の表示の少なくとも一部が複写される
ことを特徴とする粘着ラベルセット。
【請求項３】
前記粘着ラベルは、透明又は半透明である
ことを特徴とする請求項１又は２記載の粘着ラベルセット。
【請求項４】
前記台紙は、透明又は半透明である
ことを特徴とする請求項１〜３のいずれか１項記載の粘着ラベルセット。
【請求項５】
前記台紙は、台紙基材と、前記台紙基材の被貼付面に設けられた剥離剤層とを備え、
前記粘着ラベルは、ラベル基材と、前記ラベル基材の貼付面に設けられた粘着剤層とを備え、
前記第１の表示は、前記台紙基材及び前記剥離剤層の少なくとも一方に施された第１の印刷であり、
前記第２の表示は、前記ラベル基材及び前記粘着剤層の少なくとも一方に施された第２の印刷である
ことを特徴とする請求項１〜４のいずれか１項記載の粘着ラベルセット。
【請求項６】
前記台紙の前記第１の表示が付された領域と前記粘着ラベルの前記第２の表示が付された領域とは平面位置において重複しており、
前記第１の表示の少なくとも一部は、前記粘着ラベルの前記第２の表示が付された領域から視認可能である
ことを特徴とする請求項１〜５のいずれか１項記載の粘着ラベルセット。
【請求項７】
前記粘着ラベルの前記台紙の色が確認可能な部分に、前記台紙の色又はこの色の同系色を含む複数色の第３の表示が付されている
ことを特徴とする請求項３記載の粘着ラベルセット。
【発明の詳細な説明】
【技術分野】
【０００１】
本発明は、台紙と、この台紙の被貼付面に剥離可能に貼り付けられた粘着ラベルとを備えた粘着ラベルセットに関する。
【背景技術】
【０００２】
従来より、粘着ラベルを有価証券として使用することがあった。例えば、複数の自治体において、家庭ゴミや粗大ゴミを廃棄する際にはゴミ袋や粗大ゴミ等に廃棄物処理券として粘着ラベルを貼りつけることを義務付け、粘着ラベルセットの購入を通じて廃棄物処理等の費用を負担させることとしていた。
【先行技術文献】
【特許文献】
【０００３】
【特許文献１】特開２０００−６６６０５号公報
【発明の概要】
【発明が解決しようとする課題】
【０００４】
このような粘着ラベルセットは、印刷によって偽造される恐れがある。偽造防止の技術としては、例えばホログラム等の特殊な印刷技術又は特殊な材料等を用いる種々の方法が存在する。しかしながら、このような特殊な印刷技術、材料を用いると、製造コストが増加し、廃棄物処理券のような単価が低い粘着ラベルセットには使用することが出来ないと言う問題がある。
【課題を解決するための手段】
【０００５】
本発明の一の実施の形態に係る粘着ラベルセットは、被貼付面から視認可能な第１の表示が付された台紙と、貼付面が台紙の被貼付面に剥離可能に貼り付けられ、貼付面とは反対側の表面から視認可能な第２の表示が付された粘着ラベルとを備える。また、第１の表示の少なくとも一部は、粘着ラベルの表面から視認可能である。
【０００６】
当該実施の形態に係る粘着ラベルセットを粘着ラベルの表面から複写した場合、第１の表示の少なくとも一部が複写されるため、複写によって偽造された粘着ラベルを判別することが可能である。また、当該実施の形態に係る粘着ラベルセットは特殊な印刷技術や材料等を使用せずに安価に製造可能である。
【０００７】
本発明の他の実施の形態に係る粘着ラベルセットは、第１の表示が付された台紙と、貼付面が台紙の被貼付面に剥離可能に貼り付けられ、貼付面とは反対側の表面から視認可能な第２の表示が付された粘着ラベルとを備える。また、当該実施の形態に係る粘着ラベルセットを粘着ラベルの表面から複写した場合、第１の表示の少なくとも一部が複写される。
【０００８】
即ち、仮に第１の表示を粘着ラベルの表面から視認できない場合であっても、粘着ラベルセットを粘着ラベルの表面から複写した場合に第１の表示の少なくとも一部が複写されれば、複写によって偽造された粘着ラベルを判別することができる。
【０００９】
また、上記各実施の形態においては、粘着ラベルを透明又は半透明にすることが考えられる。これにより、容易に第１の表示の少なくとも一部を、粘着ラベルの表面から視認可能に、又は複写される様にする事が出来る。更に、上記各実施の形態においては、台紙を透明又は半透明にすることも考えられる。
【００１０】
また、上記各実施の形態において、台紙は、台紙基材と、台紙基材の被貼付面に設けられた剥離剤層とを備えていても良く、粘着ラベルは、ラベル基材と、ラベル基材の貼付面に設けられた粘着剤層とを備えていても良い。
【００１１】
また、上記各実施の形態において、台紙の第１の表示が付された領域と粘着ラベルの第２の表示が付された領域とを平面位置において重複させ、第１の表示の少なくとも一部を、粘着ラベルの第２の表示が付された領域から視認可能である様にしても良い。
【００１２】
即ち、このような粘着ラベルセットにおいては第１の表示と第２の表示とが入り乱れて視認されるため、例えば第１の印刷１４のみを隠して粘着ラベルセットを複写したり、複写された粘着ラベルセットから第１の印刷１４のみを削除することを防止することが可能である。
【００１３】
また、粘着ラベルを透明又は半透明にする場合、粘着ラベルの台紙の色が確認可能な部分には、台紙の色又はこの色の同系色を含む複数色の第３の表示を付しても良い。即ち、例えば本実施の形態に係る粘着ラベルセット又は本実施の形態に係る粘着ラベルを他の台紙に貼り付けたものを複写機によってスキャンした場合、上記第３の表示のうち、台紙の色又は同系色の部分が認識されない。従って、例えば透明又は半透明のフィルムに複写を行ったとしても、第３の表示の一部が複写されず、偽造された粘着ラベルを容易に判別することが可能である。
【発明の効果】
【００１４】
本発明によれば、複写による偽造を判別可能な粘着ラベルセットを安価に提供することが可能となる。
【図面の簡単な説明】
【００１５】
【図１】本発明の第１の実施の形態に係る粘着ラベルセットの一例を示す概略的な側面図である。
【図２】同粘着ラベルセットを表面２ａ側から見た平面図である。
【図３】同粘着ラベルセットを裏面１ｂ側から見た平面図である。
【図４】台紙１を被貼付面１ａから見た平面図である。
【図５】粘着ラベル２を表面２ａから見た平面図である。
【図６】本発明の第２の実施の形態に係る粘着ラベルセットを表面２ａ側から見た平面図である。
【発明を実施するための形態】
【００１６】
［本発明の第１の実施の形態に係る粘着ラベルセットの概略構成］
図１は、本発明の第１の実施の形態に係る粘着ラベルセットの一例を示す概略的な側面図である。本実施の形態に係る粘着ラベルセットは、例えば矩形シート状に形成された台紙１と、この台紙１と同程度又は同程度以下の大きさの矩形シート状に形成され、貼付面２ｂが台紙１の被貼付面１ａに剥離可能に貼り付けられた粘着ラベル２とを備える。
【００１７】
台紙１は、紙や樹脂等からなる台紙基材１１と、この台紙基材１１に被貼付面１ａ側からコーティングされ、粘着ラベル２の台紙１への粘着力を低減する剥離剤層１２とを備える。台紙１は、例えば紙材又はＰＥＴ（ポリエチレンテレフタラート）、ＯＰＰ（延伸ポリプロピレン）等のＰＰ（ポリプロピレン）、ＣＰ（セルロースプロピオネート）、ナイロン、ＰＳ（ポリスチレン）等の樹脂からなる。剥離剤層１２は、例えばシリコン樹脂などの滑り剤（コーティング剤）からなる。尚、台紙１は、透明又は半透明にすることも可能である。
【００１８】
粘着ラベル２は、透明又は半透明のラベル基材２１を備える。ラベル基材２１は、例えば紙材又はＰＥＴ（ポリエチレンテレフタラート）、ＯＰＰ（延伸ポリプロピレン）等のＰＰ（ポリプロピレン）、ＣＰ（セルロースプロピオネート）、ナイロン、ＰＳ（ポリスチレン）等の樹脂からなる。
【００１９】
また、粘着ラベル２は、ラベル基材２１に貼付面２ｂ側から塗布された少なくとも１種類の粘着剤からなる粘着剤層２２を備える。粘着剤としては、例えばエマルション系の粘着剤、天然ゴム系粘着剤、合成ゴム系粘着剤、アクリル樹脂系粘着剤、ウレタン樹脂系粘着剤、シリコン樹脂系粘着剤、ポリビニルエーテル樹脂系粘着剤、ホットメルトや溶剤系粘着剤等を使用することが考えられる。
【００２０】
［本実施の形態に係る粘着ラベルセットの印刷］
図２は、本発明の第１の実施の形態に係る粘着ラベルセットを、粘着ラベル２の表面２ａ側から見た平面図であり、図３は、同粘着ラベルセットを台紙１の裏面１ｂ側から見た平面図である。また、図４は、台紙１を被貼付面１ａから見た平面図であり、図５は、粘着ラベル２を表面２ａから見た平面図である。
【００２１】
図２及び図４に示す通り、台紙１の所定の領域１３には、被貼付面１ａから視認可能な第１の印刷１４が施されている。本実施形態において、領域１３は被貼付面１ａの粘着ラベル２が貼り付けられる部分とほぼ一致している。第１の印刷１４は、台紙１に印刷によって付された文字、（以下、本明細書において「文字」と言った場合には、数字も含まれるものとする。）、図形、柄又は模様等（以下、「表示」と呼ぶ。）である。
【００２２】
第１の印刷１４は、複写によって偽造された粘着ラベルを判別するための表示である。従って、例えば本実施の形態に係る粘着ラベルセットを廃棄物処理券として用いる場合等には、廃棄物の収集等に際しての作業効率の観点から、一見して粘着ラベルの偽造を判別可能な表示であることが望ましい。本実施形態においては、第１の印刷１４として、斜めに記載された「コピー不可」の文字を上記所定の領域１３中にほぼ一様に分布させている。
【００２３】
尚、本実施の形態においては第１の印刷１４は剥離剤層１２を塗布する前の台紙基材１１に施され、透明又は半透明の剥離剤層１２を介して第１の印刷１４を視認可能にする様にしている。しかし、例えば第１の印刷１４を剥離剤層１２に施すことも可能である。
【００２４】
更に、図３に示す通り、台紙１の裏面１ｂにおける所定の領域には、視認可能な表示が印刷によって付されている。台紙１の裏面１ｂにおける印刷は、例えば本実施形態に係る粘着ラベルセットが表す有価証券の発行元の名称（例えば、「○○市環境局」等。）、連絡先（例えば、「ＴＥＬ  ××−××−××」等。）、領収印の欄及び当該粘着ラベルセットの価格等を表示するバーコード等を表示するものであっても良い。尚、当該印刷は、省略することも可能である。
【００２５】
また、図２及び図５に示す通り、粘着ラベル２の所定の領域２３には、表面２ａから視認可能な表示が第２の印刷２４として付されている。本実施形態において、領域２３は表面２ａに３カ所設けられている。
【００２６】
本実施形態において、粘着ラベル２は有価証券として用いられるため、第２の印刷２４は、粘着ラベル２が果たす役割（例えば、「○○○処理券」等。）や価格（例えば、「×××円」等。）、場合によってはシリアルナンバー（例えば、「Ｎｏ．△△△△△△」等。）等を表示する。また、購入者が追記可能な部分を設け、購入者の指名や、当該有価証券の使用日（例えば、廃棄物の収集日等。）を記載させる様にしても良い。更に、本実施形態において、第２の印刷２４は文字だけでなく文字を囲む図形等をも表示している。
【００２７】
尚、本実施の形態においては第２の印刷２４はラベル基材２１の表面２ａに施されているが、ラベル基材２１に貼付面２ｂ側から第２の印刷２４を施し、その後で粘着剤層２２を形成することも可能であるし、粘着剤層２２の形成後に粘着ラベル２の貼付面２ｂに第２の印刷２４を施すことも考えられる。
【００２８】
本実施の形態においては、上記表示が一般的な印刷によって付されている。従って、本実施の形態に係る粘着ラベルセットは、例えばホログラムの様な、他の特殊な表示方法を採用する場合と比較して安価に製造可能である。
【００２９】
尚、第１の印刷１４、台紙１の裏面１ｂにおける印刷及び第２の印刷２４は種々の方法によって施すことが可能であるが、例えば鉱油性インク、乾性植物油インク、樹脂性インク、紫外線硬化型インクやグラビアインク等を用いることが考えられる。
【００３０】
［第１の印刷１４と第２の印刷２４との関係］
本実施の形態に係る粘着ラベルセットにおいては粘着ラベル２が透明又は半透明であるため、図２に示す通り、第１の印刷１４の少なくとも一部が、粘着ラベル２の表面２ａから視認可能である。従って、本実施の形態に係る粘着ラベルセットを粘着ラベル２の表面２ａから複写した場合には、第１の印刷１４の少なくとも一部が複写されるため、複写によって偽造された粘着ラベルを判別することが可能である。
【００３１】
また、本実施の形態に係る粘着ラベルセットにおいて、台紙１の第１の表示１４が付された領域１３と粘着ラベル２の第２の表示２４が付された領域２３とは平面位置において重複しており、第１の表示１４の少なくとも一部が、粘着ラベル２の第２の表示２４が付された領域２３から視認可能である。
【００３２】
従って、上記領域１３と領域２３とが重複している部分においては、第１の印刷１４と第２の印刷２４とが入り乱れて視認される。本実施の形態においては、図２に示す通り、第１の印刷１４によって付された表示と第２の印刷２４によって付された表示とが複数個所において重なり合っている。従って、第１の印刷１４を第２の印刷２４から切り離すことが難しく、例えば第１の印刷１４のみを隠して粘着ラベルセットを複写したり、複写された粘着ラベルセットから第１の印刷１４のみを削除することを防止することが可能である。
【００３３】
尚、第１の印刷１４及び第２の印刷２４としては任意の表示を付すことが可能であるが、第１の印刷１４と第２の印刷２４との間には、少なくとも複写によって偽造された粘着ラベルを判別するための、視認可能な差が設けられている。例えば第１の印刷１４によって付された表示と第２の印刷２４によって付された表示とが異なっていても良いし、これら表示が同一であったとしてもこれら表示の位置、角度又は大きさ等が異なっていても良い。
【００３４】
［本発明の第２の実施の形態に係る粘着ラベルセット］
次に、本発明の第２の実施の形態に係る粘着ラベルセットについて説明する。本実施の形態に係る粘着ラベルセットは、基本的には第１の実施の形態に係る粘着ラベルセットと同様に構成されているが、本実施の形態においては、粘着ラベル２−２の台紙の色が確認可能な部分に、台紙の色として用いられる複数色とそれぞれ同系色の第３の表示２５が付されている点において異なっている。
【００３５】
図６は、本実施の形態に係る粘着ラベルセットを表面２ａ側から見た平面図である。図６に示す通り、第３の表示２５は、それぞれ青色及び白色によって付された「コピー不可」の文字からなる表示２５ａ及び表示２５ｂを含んでいる。尚、これら表示２５ａ及び２５ｂは、粘着ラベル２−２の台紙の色が確認可能な部分、即ち、第２の表示２４が付されていない部分に、ほぼ一様に分布している。
【００３６】
即ち、例えば本実施の形態に係る粘着ラベルセット又は本実施の形態に係る粘着ラベル２−２を他の台紙に貼り付けたものを複写機によってスキャンした場合、上記第３の表示２５のうち、台紙の色又は同系色の部分が認識されない。従って、例えば透明又は半透明のフィルムに複写を行ったとしても、第３の表示２５の一部が複写されず、偽造された粘着ラベルを容易に判別することが可能である。
【００３７】
即ち、粘着ラベルセットの台紙１の色は、一般的に青色、白色、黄色又は透明である。但し、台紙１の色は、これらの色に限るものではない。ここで、例えば台紙１の色が青色であったとする。この場合、本実施の形態に係る粘着ラベルセット又は本実施の形態に係る粘着ラベル２−２を青色又はこの同系色の台紙に貼り付けたものを複写機によってスキャンしたとしても、第３の表示のうちの表示２５ａの色が台紙１の色と重複するため、複写機が表示２５ａを認識することが出来ず、表示２５ｂのみが複写される。一方、本実施の形態に係る粘着ラベルセットを白色又はこの同系色の台紙に貼り付けた場合、同様の理由から表示２５ａのみが複写される。更に、粘着ラベルセットを黄色又はこの同系色の台紙に貼り付けた場合、複写機によって黄色を認識することは困難であるため、台紙１の色が白であると認識され、表示２５ａのみが複写される。
【００３８】
従って、本実施の形態に係る粘着ラベルセットを用いた場合、第３の表示２５を視認することにより、他の台紙に貼り替えて複写された粘着ラベルを容易に判別することが可能である。尚、本実施の形態に係る粘着ラベルセットによれば、台紙１自体は第１の実施の形態と変わらないため、第１の実施の形態に係る粘着ラベルセットと同様の効果をも奏することが可能である。
【００３９】
［本発明の他の実施の形態に係る粘着ラベルセット］
上記第１の実施の形態においては、第１の印刷１４の少なくとも一部を粘着ラベル２の表面２ａから視認することが可能であった。しかしながら、仮に第１の印刷１４を粘着ラベル２の表面２ａから視認することができない場合であっても、粘着ラベルセットを粘着ラベル２の表面から複写した場合に、例えばモアレや特殊な波長を吸収するインク等を利用した手段によって第１の印刷１４の少なくとも一部が複写されれば良い。
【符号の説明】
【００４０】
１…台紙、２…粘着ラベル、１１…台紙基材、１２…剥離剤層、１３…第１の印刷が施された領域、１４…第１の印刷、１ａ…被貼付面、１ｂ…裏面、２１…ラベル基材、２２…粘着剤層、２３…第２の印刷が施された領域、２４…第２の印刷、２ａ…表面、２ｂ…貼付面、２５…第３の表示。
【図１】
2015132716.tif 000003
【図２】
2015132716.tif 000004
【図３】
2015132716.tif 000005
【図４】
2015132716.tif 000006
【図５】
2015132716.tif 000007
【図６】
2015132716.tif 000008